(57)【要約】  本発明は水の流速を低減することによって、泳力の弱い魚でさえ上流や下流へ容易に移動できる魚道ブロックに関する。この魚道ブロックは底パネル（１３）と、その底パネル（１３）のそれぞれの側部に取り付られる側壁パネル（１４a，１４ｂ）と、それら側壁パネル間で底パネル（１３）を横切って取付けられる複数の仕切りパネル（１５a，１５ｂ、１５ｃ）とで成り、仕切りパネル（１５a，１５ｂ、１５ｃ）は、魚が通過するそれぞれ通水孔（１６a，１６ｂ、１６ｃ）を有し、通水孔（１６a，１６ｂ、１６ｃ）の位置は高さが異なり、それら位置の軌跡はジグザグ型を形成する。仕切りパネルの下端部分の近くにある通水孔のサイズは仕切りパネルの上端部分の近くに形成された通水孔のサイズより小さい。この魚道ブロックはさらに、魚道のサイズを調節する魚道サイズ調整機構と水位調節機構とを有する。
2008525677.tif 000002
【特許請求の範囲】
【請求項１】
底パネルと、底パネルの側部にそれぞれ取り付られ、互いに平行をなす側壁パネルと、一方の側壁パネルから他方の側壁パネルまで底パネル上を伸長するように取付られ、各々が通水パネルを有する１個以上の仕切りパネルとで成ることを特徴とする、魚道ブロック。
【請求項２】
それぞれの仕切りパネルに形成された通水孔の位置はジグザグ型をなし、隣接する仕切りパネル間に形成された隔室へ流入する水の流れをゆっくりにするために、仕切りパネルの下端部近くに形成された通水孔のサイズが仕切りパネルの上端部近くの通水孔のサイズより小さいことで成ることを特徴とする、請求１記載の魚道ブロック。
【請求項３】
通水孔の位置は水平方向から見ても、縦方向から見てもジグザグ型をなすので、仕切りパネル間に形成された隔室へ流入する水の流れはゆっくりとなり、水は仕切りパネル間に形成された隔室に集められ、そこにたまるようにして成ることを特徴とする、請求項１記載の魚道ブロック。
【請求項４】
側壁の上端は仕切りパネルの上端より高く形成されるので、仕切りパネルの上端からあふれる水は、側壁をこえて魚道ブロックから流出することはなくて、魚も水路から外れることないようにして成ることを特徴とする、請求項１記載の魚道ブロック。
【請求項５】
魚道ブロックを傾斜面に設置する時、仕切りパネル間に形成される隔室に貯留できる水量が増大するように、仕切りパネルの上端に突起を形成して成ることを特徴とする、請求項１記載の魚道ブロック。
【請求項６】
最外側にある仕切りパネルのうち一方の仕切りパネルは挿入用窪部を有し、他方の仕切りパネルは、挿入用窪部に挿入される突部を有して成ることを特徴とする、請求項１記載の魚道ブロック。
【請求項７】
隣接する魚道ブロックが挿入孔を通して挿通する連結手段によって、連結するように最外側の仕切りパネルにはそれぞれ挿通孔が形成されることを特徴とする、請求項１記載の魚道ブロック。
【請求項８】
側壁パネルをクロスバーの表面にアンカーを使って確実に固定できるように、側壁パネルは、それぞれボルト孔を備えたブラケットを有することを特徴とする、請求項１記載の魚道ブロック。
【請求項９】
底パネル、側壁パネル、仕切りパネルの全部又はいくつかは個別に製造されて成ることを特徴とする、請求項９記載の魚道ブロック。
【請求項１０】
少なくとも仕切りパネルは個別に製造し側壁パネルはそれぞれの内面に摺動用ガイドを有し、仕切りパネルを摺動用ガイドに挿入することによって、その仕切りパネルを取付け得るようにして成ることを特徴とする、請求項１又は請求項９記載の魚道ブロック。
【請求項１１】
仕切りパネル及び側壁パネルは、それぞれ引っぱりリングを有し、これら引っぱりリングは取外し自在に又は一体的に取付けられて成ることを特徴とする、請求項１記載の魚道ブロック。
【請求項１２】
仕切るパネルと側壁パネルは連結手段によって連結され、固定されて成ることを特徴とする、請求項９記載の魚道ブロック。
【請求項１３】
仕切りパネルの側部と側壁パネルは魚道ブロックの傾斜した設置面の角度に拘らず水平方向に対して垂直をなして成ることを特徴とする、請求項１記載の魚道ブロック。
【請求項１４】
通水孔のサイズを調節するために、仕切りパネルに魚道サイズ調節機構を備え、その各調整機構は魚が上流及び下流へ移動できるような通路を有して成ることを特長とする、請求項１記載の魚道ブロック。
【請求項１５】
魚道サイズ調節機構は次のものでなる、即ち仕切りパネルの内面で通水孔の近くに縦方向に形成されたガイドと、そのガイドは互いに平行な２本のバーを有することと、
ガイドに沿って上下動できるように取付けられた水門と、それによって通水孔を完全に閉鎖したり、部分的に又は完全に開くことができることと、
外面にねじ部を有し、水門の上端から上方へ伸長する縦方向への起立部材と、
その起立部材を上下動させるために、仕切りパネルの上端に取付けられた一対のかさ歯車とで成ることを特徴とする、請求項１４記載の魚道ブロック。
【請求項１６】
仕切りパネルは、上端に規定の深さの水路溝を有し、さらにそれぞれ水位調整機構を有して成ることを特徴とする、請求項１記載の魚道ブロック。
【請求項１７】
水位調節機構の各々は次のものでなる、即ち水路溝の両側で仕切りパネルの表面に形成されたガイドと、そのガイドの２本のバーは互いに平行に伸長することと、
水路溝の底部の高さを調節するためガイドに沿って上下動するように取付けられた水門と、
水門の上端から上方へ伸長し、その外面にねじ部を有する起立部材と、
縦方向に起立部材を上下動させるため、仕切りパネルの上端部分に取付けられた一対のかさ歯車とで成ることを特徴とする、請求項１６記載の魚道ブロック。
【請求項１８】
仕切りパネルは、魚道サイズ調節機構と水位調節機構の両方を有し、通水孔と水路溝は、仕切りパネルの同じ垂直線上に形成されており、この魚道ブロックは通水孔のサイズと水路溝のサイズをそれぞれ調節する２個の水門と、
それぞれの水門の上端から上方へ伸長する２本の縦方向へ起立部材と、
２本の縦方向への起立部材を別々に上昇させ得る一対のかさ歯車とを有して成ることを特徴とする、請求項１４又は請求項１６記載の魚道ブロック。
【請求項１９】
かさ歯車を前方及び逆方向へ自動的に回転させるように、かさ歯車のシャフトに接続される減速歯車をさらに有して成ることを特徴とする、請求項１４又は請求項１６記載の魚道ブロック。
【請求項２０】
仕切りパネルの通水孔の近くの部分は、その仕切りパネルに取り外し自在に取付けられる補助仕切りパネルで構成して成ることを特徴とする、請求項１記載の魚道ブロック。
【請求項２１】
補助仕切りパネルは、底パネル、側壁パネル、仕切りパネルと同じく、コンクリートで作るか、又は耐腐食処理した金属で作ることで成ることを特徴とする、請求項２０記載の魚道ブロック。
【請求項２２】
主に水の流速を低減するために、最前位置にある仕切りパネルの前に、又は隣接する仕切りパネル間の隔室に配置された水の流速低減部材をさらに有して成ることを特徴とする、請求項１記載の魚道ブロック。
【請求項２３】
水の流速低減部材は段階の形をしていて、水の流れの方向に対向して位置して成ることを特徴とする、請求項２２に記載の魚道ブロック。
【請求項２４】
側壁パネル、仕切りパネル及び水の流速低減部材の表面にあって、冬季や厳寒地で水が凍結するのを防ぐヒーターをさらに有して成ることを特徴とする、請求項１又は請求項２２記載の魚道ブロック。
【請求項２５】
魚道ブロックは、設置場所の下流側に配置された最前位仕切りパネルの通水孔の排水容量の等しい排水容量をもつパイプに接続され、その通水孔は水没するので魚道ブルックの設置時、水がその上端からあふれることがないようにしたことを特徴とする、請求項１記載の魚道ブロック。
【発明の詳細な説明】
【技術分野】
【０００１】
本発明は魚道ブロックに関し、特に、水の流速を遅速化させ、魚がダム、滝、排水渠及びその他の障害物をこえて泳ぐことによって上流又は下流へ容易に回遊できるようにするため、ダムや堤防或いは貯水池に設置する魚道ブロックに関する。
【背景技術】
【０００２】
一般に、河川や小川、或いは他の水路を横切って建造されるダムやクロスバーのような横断構造物に魚道を設置する必要がある。韓国の漁業資源保護法に関連して、魚道を塞ぐことの禁止に関する国内漁業法の強化法に鑑みて、河川や小川を横切る横断構造物が建造される時、エコシステムを保護し、かつ魚が移動できるようにするために魚道を設置する必要がある。漁業資源保護法のもとに設置される従来の魚道は、水がダムやクロスバーを通って下流へ流されるようにしたダムやクロスバーに設置される簡単な構造体である。
【発明の開示】
【発明が解決しようとする課題】
【０００３】
従来の魚道は、水がダムやクロスバーのような流路を塞ぐ構造物を通って川の上流から下流へ流下できるようにする簡単な構造体である。従って、水位の差が大きすぎる時、或いは、水位の差が小さいにも拘らず水の流速が速すぎる時、魚は従来の魚道に沿って遡上することができない可能性がある。
【０００４】
従って、魚道の代わりに例えば魚の産卵池のような魚の生息場所がダムに設置される。しかしながら、雨季には、水位が急激に上がったり、安全レベルをこえたりするので、ダムから数万トンの水を放出させねばならず、その結果、魚類の生息場所が損害をこうむる。かくして、従来の魚道は技術的な問題のために効果的なものではなかった。
【課題を解決するための手段】
【０００５】
上記目的を達成するために、本発明の１つの側面に従って、以下の特徴をもつ魚道ブロックを提供する。
【０００６】
第１に、この魚道ブロックは、通水孔をそれぞれに有しかつ川を横断する１個以上の仕切りパネルを有し、その仕切りパネルの通水孔は、水中に埋没するので、魚道の水の流速は減退する。その結果、泳ぐ力の弱い魚でさえ、この魚道ブロックにより下流や上流へ容易に移動することができる。
【０００７】
第２に、この魚道ブロックは底パネルと側壁パネルと、仕切りパネルとで成り、これらパネルは重いために、個別に製造されると、魚道ブロックは容易に組み立て分解が行われ分解した状態で運搬できる。
【０００８】
第３に、この魚道ブロックは、仕切りパネルにある通水孔の位置とサイズを変化させることで、魚道を通って流れる水量を減らし、水の流速を遅速化させることができる。
【０００９】
第４に、この魚道ブロックは、魚道のサイズ、即ち、魚が下流及び上流へ移動する仕切りパネルの通水孔のサイズを調節する魚道のサイズ調節機構を有し、さらに、隣接するそれぞれの仕切りパネル間に形成された隔室にたまる水の水位を調整する水位調節機構を有し、かくして、仕切りパネルの通水孔のサイズを調節し、隔室にたまる水の水位を調節することによって、隔室へ水量の水しか流入されなくても、隣接する仕切りパネル間の隔室にたまる水の水位を保持することができる。従って、この魚道ブロックは川の水の流速のような環境の変化にうまく適応することができ、さらに、魚道ブロックへ流入する水量が少量の場合でさえ、魚道を常に開放状態に保持できる。
【００１０】
第５に、魚道ブロックはさらに、この魚道ブロックへ流れる水の流速を第１に低速にするために、最も前方の仕切りパネルの前方に、又は隣接する仕切りパネル間に配置された水の流速低減部材を有し、それによって泳ぐ力の弱い魚でさえ容易に通過することができる。
【００１１】
第６に、この魚道ブロックは冬季や厳寒地において魚道の水が凍結するのを防ぐために、側壁パネル、仕切りパネル及び流速低減部材の表面にヒーターを備え、それによって魚道ブロックの破裂を防止できる。
【発明の効果】
【００１２】
上述の説明から明らかのように、本発明の魚道ブロックは以下の効果を有する。
【００１３】
第１に、隣接する仕切りパネルの通水孔の位置が異なる。即ち、通水孔の位置の高さがジグザグ型の配置をなす。さらに、最も前方位置にある仕切りパネルの前に、及び仕切りパネル間に、流速低減部材を備える。これらの構造体により、水は隣接仕切りパネル間の隔室に一時的に貯留した後に流れるので流速が著しく遅速化する。その結果、泳力の弱い魚でさえ、上流へ下流へ移動できる。
【００１４】
第２に、仕切りパネルの下端部近くに通水孔を有する仕切りパネルの上端に沿って水があふれる時、下流側の隔室にたまっている水が間隔をおいて落ちるので、気泡が生じる。その結果、水中の生き物に十分な酸素が与えられ、微生物が棲む環境が生まれる。
【００１５】
第３に、仕切りパネルと側壁パネルはそれぞれに引っぱりリングを有するので、魚道ブロックの設置を容易にする。さらに、隣接する魚道ブロックはボルトで確実に連結されるので、魚道ブロックは容易に設置され、設置面に確実に固定される。
【００１６】
第４に、側壁パネルと仕切りパネルが別個に製造され、組み立てられる場合、それら魚道ブロックは運搬トラックへの荷積みや荷おろしが容易になり、効率的に運搬できる。さらに部分的な取替えができるので、その魚道ブロックの保持が容易となる。
【００１７】
本発明の魚道ブロックの主な特徴は、泳力の弱った魚でも上流や下流へ移動することができるように、水の流速を一定に、しかもゆっくりした状態に保持することができる。
【００１８】
さらに、魚道ブロックは、側壁パネル、仕切りパネル及び流速低減部材の選択された部分をカバーするヒーターを有するので、寒冷気候や厳寒地において水の凍結によって生じる魚道ブロックの破裂を防ぐことができる。
【発明を実施するための最良の形態】
【００１９】
本発明の上記目的を達成するために、底パネルと底パネルのそれぞれの側部に起立し、互いに平行をなす側壁パネルと、一方の側壁パネルから他方の側壁パネルまで伸長し、通水孔を有する複数の仕切りパネルとで成る魚道ブロックを提供する。
【００２０】
隣接する仕切りパネルの通水孔の位置は互いに変化していて、それら位置の軌跡はジグザグ型である。仕切りパネルの下端部近くに形成された通水孔のサイズは、仕切りパネルの上端近くに形成された通水孔のサイズより小さく形成されているので、水があふれるのを防ぐ。通水孔の位置は、垂直方向から見ても水平方向から見てもジグザグ型をなす。
【００２１】
魚道ブロックを急勾配面に設置する場合、隣接する仕切りパネル間に形成された隔室内の貯水量を増すために、各仕切りパネルの上端を一方向へ屈曲させる。
【００２２】
側壁パネルは底パネルに結合されて一体構をなすが、仕切りパネルは側壁パネルと底パネルから別個に形成される。仕切りパネルはそれぞれの側壁パネルの内面に形成されたガイド用窪部へ仕切りパネルを挿入することによって組立てられる。又、底パネル、側壁パネル及び仕切りパネルの全てを別々に製造して組立てることもでき、或いは形成用型を使って魚道ブロックを製造することによってそれらパネルを一体的に形成することもできる。
【００２３】
隣接する魚道ブロックを挿入式結合方法で連結できるように、最も外側の仕切りパネルのそれぞれの外面には一面に挿入用窪部を有し、他面に挿入用突部を有する。挿入用窪部と挿入用突部は  楔形に形成されるので、挿入用窪部と挿入用突部が結合する時、通水孔と側壁パネルはそれぞれ一線に並ぶ。
【００２４】
隣接する魚道ブロックを確実に連結するために、側壁パネルの端部分に配置された最外側の仕切りパネルには、それぞれ挿入孔を有し、隣接する魚道ブロックは突き合わされた仕切りパネルの挿入孔を通してボルトを挿通することによって連結される。
【００２５】
各側壁は、仕切りパネルにより高さが高いので水は仕切りパネルの端部に沿ってのみあふれ、そして仕切りパネルの通水孔を通って流れる。しかし、水は側壁パネルの上端からあふれることはない。即ち、水は水路から外れることはない。
【００２６】
各仕切りパネル及び側壁パネルに引っぱりリングが形成されている。これは、組立作業で仕切りパネルや側壁パネルの吊り上げを容易にし、或いは、設置作業中、組立て魚道ブロックの吊り上げを容易にする。この引っぱりリングは取り外し自在にも、取り外し可能にもすることができる。
【００２７】
側壁パネルの各々は、ボルト孔付きブラケットを有する。これは、アンカーを使って簡単にクロスバーの傾斜面に魚道ブロックを固定するために使用されるものである。
【００２８】
最も前方の仕切りパネルの通水孔が水中に埋没した状態で、仕切りパネルの上端から水があふれることのないように十分な排水能力をもつパイプに本魚道ブロックを接続することもできる。
【００２９】
魚道ブロックはさらに、魚が上流や下流へ移動できる通路としての魚道のサイズ、特に仕切りパネルの通水孔のサイズを調節するため仕切りパネルに配置された魚道サイズ調節機構を有する。この魚道サイズ調節機構は通水孔のまわりに形成されたガイドと、そのガイドに沿って上下動し、通水孔を完全に閉じたり、一部又は完全に開いたりできる水門と、その水門の上端から上方へ伸長し、その外面ににねじ部を有する垂直起立部材と、仕切りパネルの上端部分に備えられた一対のかさ歯車とで成る。
【００３０】
魚道ブロックはさらに、仕切りパネルの上端部分に形成された水路溝のサイズを調節する水位調節機構を有する。この水位調節機構は、仕切りパネルの上端部分に形成された水路溝のまわりにあるガイドと、水路溝の底部の高さを調節するため上下動するように備えられた水門と、水門の上端部分から上方へ伸長し、その外面にねじ部を有する起立部材と、仕切りパネルの上端部分に備えられた一対のかさ歯車とで成る。
【００３１】
通水孔を有し、さらに垂直線上に形成された水路溝を有する仕切りパネルは、水位調節機構と、魚道サイズ調節機構を有する。この魚道ブロックは、２個の水門と、それぞれの水門のそれぞれの上端から上方へ伸長し、その外面にねじ部を有する２個の起立部材と、２個の水門を別々に調節する一対のかさ歯車とを有し、通水孔のサイズと水路溝のサイズは調節可能である。
【００３２】
魚道ブロックはさらに、かさ歯車のシャフトに接続する減速モータを有し、それによってかさ歯車は前進回転及び逆回転を行う。
【００３３】
魚道ブロックはさらに、仕切りパネルへ向かって流れる水の流速を主に減速させるため、最前方の仕切りパネルの前方に、又は隣接する仕切りパネル間の隔室に配置された水の流速低減部材を有する。
【００３４】
水の流速低減部材は、階段の形状をしていて、水の流れの方向は対向して位置する。
【００３５】
魚道ブロックはさらに、冬季や厳寒地で凍結による破裂を防ぐために、側壁パネル、仕切りパネル及び水の流速低減部材の表面にシートヒーターを有する。このシートヒーターは微小炭素繊維と原形質パルプと、高純度の合成セラミック末とを混合し、その混合物を１ｍｍ以下の厚みの絶縁被覆紙に処理し、その絶縁被覆紙に一対の電極を与えることによって製造する。
【実施例】
【００３６】
以下、本発明の実施例を図面に関連しながら説明する。
【００３７】
図１は本発明の第１実施例の魚道を示す。図２は図１の魚道を互いに連結して水路を延した状態で示す。図３は図２の魚道をそこから側壁パネルを取り外した状態で示す。図４は通水孔の中心を通る線に沿ってとった魚道ブロックの横断面図を示す。
【００３８】
これら図面に示すように、魚道ブロック１０は底パネル１３と、底パネル１３の両側に配置された側壁パネル１４a,１４ｂと、側壁パネル１４aと１４ｂとの間にあって、底パネル１３を横切って位置する複数の仕切りパネル１５a、１５ｂ、１５ｃとで成る。仕切りパネル１５a,１５ｂ、１５ｃはそれぞれ、通水孔１６a，１６ｂ、１６ｃを有する。
【００３９】
仕切りパネル１５a，１５ｂ、１５ｃのうち、側壁パネル１４a，１４ｂのそれぞれの端部に配置された最も外側の仕切りパネル１５aと１５ｃは底パネル１３と一体化し、単一構造体を構成する。側壁パネル１４a、１４ｂは締結部材１７によって仕切りパネル１５a，１５ｃの側部に密着連結される。
【００４０】
仕切りパネル１５ｂは仕切りパネル１５aと１５ｃとの間に配置される。即ち、仕切りパネル１５ｂは側壁パネル１４aと１４ｂとの間の中間部分に配置されるのであって、側壁パネル１４aと１４ｂの端部分に配置されるのではない。その仕切りパネル１５ｂは摺動可能な状態で側部パネル１４a，１４ｂに連結される。即ち、仕上げパネル１５ｂの両側端部は側壁１４a、１４ｂのそれぞれの内面に形成れたそれぞれの挿入ガイドへ挿入され、仕切りパネル１５ｂの側端部はそれぞれのガイド１８内に固定される。図１〜５に示すように、ガイド１８は側壁パネル１４a，１４ｂの内面に形成された突部であるが窪部で構成することもできる。
【００４１】
底パネル１３、側壁パネル１４a,１４ｂ及び仕切りパネル１５a,１５ｂ、１５ｃは、選択的に個別に作成されるが、それらパネルの全ての要素は個別に作成される。その魚道ブロックを組立てるには、はじめに底パネル１３をベース面に配置する。次に、側壁パネル１４a、１４ｂを底パネル１３の両側で起立させ、仕切りパネル１５a,１５ｃを締結手段１７によって側壁パネル１４a,１４ｂのそれぞれの端部に結合させる。
【００４２】
魚道ブロックの要素の一部又は全部を個別に作成し、それら要素の全てを組立てて魚道ブロックに形成する。また、魚道ブロック全体に対応する形を有するモールドを使用した形成方法により魚道ブロックを製造することによって、魚道ブロックの全ての要素を一体構造に完成することもできる。
【００４３】
仕切りパネル１５a,１５ｂ、１５ｃの通水孔１６a,１６ｂ、１６ｃはジグザグ状に配置される。即ち、隣接する仕切りパネル１５a,１５ｂ、１５ｃの通水孔１６a,１６ｂ、１６ｃの位置と大きさが異なる。通水孔１６a,１６ｂ、１６ｃの位置は、垂直方向からみても水平方向から見ても異なる。
【００４４】
例えば、側壁パネル１４a,１４ｂの端部分に配置された仕切りパネルの通水孔１６a,１６ｃの大きさは、中間の仕切りパネル１５ｂの通水孔１６ｂの大きさより大きい。仕切りパネル１５a,１５ｃの通水孔１６a,１６ｃは、それぞれの仕切りパネル１５a,１５ｃの上端近く形成されるか通水孔１６ｂは仕切りパネル１５ｂの下端近くに形成される。
【００４５】
仕切りパネル１５a,１５ｂ、１５ｃの各々は、取り外しできる引っぱりリング１９を有する。この引っぱりリング１９は、仕切りパネル１５a,１５ｂ、１５ｃを組立てたり分解する時、ロープ３０とクレーン３１を使って仕切りパネル１５a,１５ｂ、１５ｃを持ち上げ移動させるために使用する。側壁パネル１４a,１４ｂと底パネル１３の各々もまた、引っぱりリング１９を備えることができる。引っぱりリング１９は仕切りパネル１５a,１５ｂ、１５ｃ、側壁パネル１４a,１４ｂ及び底パネル１３に取り外し自在に取り付けるか、或いは取り外しできない状態で固定することもできる。
【００４６】
側壁パネル１４a,１４ｂの最も外側の仕切りパネル１５a,１５ｃの外面には、それぞれ窪部２１と突部２２が形成されているので、第１魚道ブロックの仕切りパネル１５ｃの突部２２を、第２魚道ブロックの仕切りパネル１５aの対応する窪部２１に挿入させ得る。最外側仕切りパネル１５a,１５ｃはそれぞれ挿入孔２３を有するので、仕切りパネル１５a,１５ｃの挿入孔２３を通して連結手段２４を挿入することによって魚道ブロック同志をしっかり連結することができる。
【００４７】
窪部２１と突部２２は楔形に形成されており、その窪部２１と突部２２が結合する時、両ブロックの挿入孔２３、通水孔１６a,１６ｃ及び側壁パネル１４a,１４ｂはそれぞれ一線に並ぶ。
【００４８】
以下、前述の魚道ブロックを設置する方法について説明する。
【００４９】
図５に示すようにパイプ２６をクロスバー２５の下で、貯水池の水の最下水位より下方に配設し、クロスバー２５の下流側でパイプ２６の一端部分に１個以上の魚道ブロック１０を連結する。この場合、魚道ブロックを設置するための基礎工事は、クロスバーの下流側の傾斜面で行われる。しかし、クロスバーがコンクリートでできている場合、更なる基礎工事は必要としない。
【００５０】
次に、図６を参照すれば、仕切りパネル１５a,１５ｂ１５ｃの引っぱりリング１９を通してロープ３０が挿入され、クロスバー２５の下流側の傾斜面に仕切りパネル１５a,１５ｂ、１５ｃを設置するために、ロープをクレーンによって引っぱり、仕切りパネル１５a,１５ｂ、１５ｃを吊り上げる。この場合、水流の方向が魚道ブロック１０の長さ方向と同じとなるように、２個以上の魚道ブロック１０は直列に連結する。
【００５１】
多数の魚道ブロック１０は現場に運ばれ、積み重ね場に積み重ねて置く。魚道ブロックは重いので、それを人の力で運ぶのは難しい。従って、魚道ブロック１０はクレーンのような重機を使って積み重ね場所から設置現場へ運ばれ、それから設置される。
【００５２】
前述の方法で組立てられた魚道ブロック１０は第１魚道ブロック１０の側壁パネル１４a,１４ｂの端部分に配置された仕切りパネル１５a,１５ｃのいづれか一方のパネルにある窪部２１に、第２魚道ブロック１０の仕切りパネル１５a,１５ｃの他方のパネルの突部２２を嵌めこむようにして互いに連結される。仕切りパネル１５ｃの突部２２が仕切りパネル１５aの窪部２１に挿入される時、両ブロックの通水孔１６a,１６ｃ及び挿通孔２３は一直線状に整列する。
【００５３】
魚道ブロック１０を連結した後、連結手段としてのボルト２４を仕切りパネル１５a,１５ｃの挿通孔２３を通して挿通し、魚道ブロック１０の連結を堅固なものに保持し、そうすることによって複数個の魚道ブロック１０は一体構造の如く結合される。もっと確実な連結を必要とする場合には、魚道ブロック１０の側壁パネル１４a,１４ｂは底パネル１３の下端部分にアンカーを備えることもできる。
【００５４】
魚道ブロック１０を設置した後、貯水池の水の最下水位より低い位置に敷設されたパイプ２６を開くと、水がパイプ２６を通って下流へ流れる。この時、パイプ２６の排水容量は通水孔１６a,１６ｃの排水容量と同量か又はそれ以下とする。パイプ２６の排水容量はパイプ２６から排出される水が仕切りパネル１５ｂの上端をこえてあふれるように調節する。
【００５５】
魚道ブロック１０の設置後、水がクロスバー２５の上流側から下流側へパイプ２６を通って流れる場合、水は隣接する仕切りパネル１５a,１５ｂ、１５ｃ間に形成される隔室内に貯留する。その結果、水は通水孔１６a,１６ｂ、１６ｃを通って低速で流れる。従って、下流側の魚はこの魚道ブロック１０により傾斜した水路に沿って遡上することができる。  特に、泳力の弱い魚でさえ、魚道ブロック１０の仕切りパネル１５a,１５ｂ、１５ｃを通って下流へまたは上流へ移動することができる。
【００５６】
図５を参照すれば、魚道ブロック１０はクロスバー２５の傾斜面に設置され、それぞれの仕切りパネル１５a,１５ｂ、１５ｃの通水孔１６a,１６ｂ、１６ｃの高さや水平位置は、互いに異なる。即ち、通水孔１６a,１６ｂ、１６ｃはジグザグ型に配置されている。
【００５７】
中間仕切りパネル１５ｂの通水孔１６ｂの位置と大きさは、他の通水孔１６a,１６ｃより低くかつ小さいが、中間仕切りパネル１５ｂの後側に配置された仕切りパネル１５ｃの通水孔１６ｃの位置と大きさは、仕切りパネル１５ｂの通水孔１６ｂの位置より高くてサイズも大きい、即ち、通水孔１６ｂと１６ｃは段部を形成する。
【００５８】
従って、パイプ２６から排出された水は、仕切りパネル１５aの通水孔１６aが水没した状態で仕切りパネル１５ｂの通水孔１６ｂのみを通って下流へ流れる。即ち、通水孔１６ｂを通って下流へ流れる水は、仕切りパネル１５ｂによって一時的にふさがれるので、逆流を起こして一時的に貯水され、それから仕切りパネル１５ｂの通水孔１６ｂを通って下流へ流れる。
【００５９】
通水孔１６ｂは通水孔１６ｃより場所的に高所位置に配置される。従って、通水孔１６ｂから流出した水が仕切りパネル１５ｂと１５ｃとの間の隔室にたまると、通水孔１６ｂは水没するので、水流は遅速となる。仕切りパネル１５aと１５ｂとの間の隔室にたまった水の水位と仕切りパネル１５ｂと１５ｃとの間の下流側の隔室にたまった水の水位との差に従って水圧が生じる。その水圧は流速に影響を与える。従って、水圧が低下すると、水流が遅くなる。
【００６０】
かくして、仕切りパネル１５ｂの通水孔１６ｂを通って流れる水量は少量であるので、仕切りパネル１５aと１５ｂとの間の上流側の隔室により多くの水がたまり、仕切りパネル１５ｂと１５ｃとの間の下流側の隔室にはそれに従って貯水される。この時、下流側の通水孔１６ｂを通って流れる水より、上流側の通水孔１６aを通って流れる水の量が多いので、過剰の水量により、仕切りパネル１５ｂをこえて水があふれ、仕切りパネル１５ｂと１５ｃとの間の隔室にあふれた水が流れ込むことによって、仕切りパネル１５ｂと１５ｃとの間の隔室内の水位が上昇する。
【００６１】
前述の操作原理に従って、水は仕切りパネル１５a,１５ｂ、１５ｃ間の隔室に貯留し、そこに停滞し、通水孔１６ａ，１６ｂ、１６ｃを通って流れる水の速度は著しく低速であるので、泳力の弱い魚でさえ、それらの通水孔１６ａ，１６ｂ、１６ｃを通ってクロスバー２５の上流や下流へ移動することができる。
【００６２】
前述の説明では魚道ブロック１０は１つの完全な製品として製造される。しかしながら、この魚道ブロック１０は底パネル１３、側壁パネル１４ａ，１４ｂ及び仕切りパネル１５ａ，１５ｂ，１５ｃ含む個別の要素としても製造することができる。魚道ブロック１０の要素を設置現場へ別々に運び、現場でクレーンを使って組立て、そこに設置する。魚道ブロック１０は、底パネル１３、側壁パネル１４ａ，１４ｂ及び仕切りパネル１５ａ，１５ｂ，１５ｃに分割される状態で製造されているので、魚道ブロック１０の重量もまた分割され、この魚道ブロック１０は一体となった魚道ブロック１０を処理する場合に比べてその荷積みや運搬荷おろしが一段とやり易い。
【００６３】
図７、図８は本発明のもうひとつの実施例の魚道ブロックを示す。図７を参照すれば、仕切りパネル１５ａ，１５ｂ，１５ｃの側端部と側部パネル１４ａ，１４ｂはその魚道ブロック１０を設置する傾斜面の角度に拘らず、垂直に立っている。図８を参照すれば、仕切りパネル１５ａ，１５ｂ，１５ｃの各々の上端が一方向へ屈曲して突起２８を形成し魚道ブロック１０を急勾配の傾斜面に設置する時、仕切りパネル１５ａ，１５ｂ、１５ｃ間の隔室にたまる水の水位を保持するために前記突起２８は上流へ向けて突出する。
【００６４】
図７、図８に示す実施例によれば、魚道が設置されるクロスバーが急勾配を有する場合でさえ、隣接する仕切りパネル１５ａ，１５ｂ、１５ｃ間の隔室にたまる水の量は、垂直に配置された仕切りパネル１５ａ，１５ｂ、１５ｃと、それぞれの仕切りパネル１５ａ，１５ｂ，１５ｃの上端にある突起２８とにより最大量に保持される。この構造によって、魚道ブロック１０の操作上の効果と有益性が一段と増す。
【００６５】
図９は本発明の更なる実施例に従った魚道ブロックを示す。この実施例によれば、魚道ブロック１０は前述の実施例の魚道１０より長いものであって、最が外側仕切りパネル１５ａ，１５ｃとの間に３個の中間仕切りパネル１５ｂを有する。３個の中間仕切りパネル１５ｂの通水孔１６ｂは、図７、図８に示す魚道ブロックの仕切りパネル１５ａ，１５ｂ、１５ｃの通水孔１６ａ，１６ｂ、１６ｃでジグザグ型を形成するのと同様の方法で、ジグザグ型を形成する。側壁パネルの各々は、その下端部分にブラケット３３を有し、そのブラケットはボルト孔３４を有するので、アンカーボルトを使って側壁パネルをクロスバーの傾斜面に固定することができる。
【００６６】
この実施例では、魚道ブロックの設置現場のサイズに従って、魚道ブロックの長さを調整することができ、側壁パネル１４ａ，１４ｂはそれら側壁パネル１４ａ，１４ｂの各々の下端部分に取付けたブラケット３３のボルト孔３４を通してアンカーボルトによりクロスバーの傾斜面に容易に取付けることができる。
【００６７】
図１１〜１６は本発明の更に他の実施例の魚道ブロック１００を示す。図１１〜１６を参照すれば、魚道ブロック１００は、底パネル１３０と、底パネル１３０の側端に位置する側壁パネル１４１，１４２と、底パネル１３０上に配置され、一方の側壁パネル１４１から他方の側壁パネル１４２へ向かって互いに平行に伸長する複数の仕切りパネル１５１，１５２，１５３，１５４とで成る。仕切りパネル１５１，１５２，１５３，１５４はそれぞれ補助仕切りパネル２５１，２５２，２５３，２５４を有し、それぞれ補助仕切りパネル２５１，２５２，２５３，２５４には通水孔１６１，１６２，１６３，１６４が形成され、そこを通って魚が移動する。側壁パネル１４１，１４２は補助仕切りパネル２５１，２５２，２５３，２５４の側端と接触するガイド突起１４３を有し、仕切りパネル１５１、１５２，１５３，１５４の側端部にガイド突起１４４を有する。補助仕切りパネル２５１，２５２，２５３，２５４がガイド突起１４３と１４４との間に挿入される時、そのガイド突起１４３，１４４と補助仕切りパネル２５１，２５２，２５３，２５４との間に通常形成される隙間から水が漏れないようにするために、ガイド突起１４３は気密状に構成されねばならない。
【００６８】
補助仕切りパネル２５１，２５２，２５３，２５４は、例えば、通水孔１６１，１６２，１６３，１６４のサイズのような、魚道のサイズを調節する魚道調節機構をそれぞれ有する。魚道調節機構は対応する通水孔１６１，１６２，１６３，１６４のまわりに配置された第１ガイド２６１と、その第１ガイド２６１に沿って上下動し、通水孔１６１，１６２，１６３又は１６４を完全に閉鎖したり、また部分的に又は完全に開放させる第１水門２６２と、その第１水門２６２から上方へ伸長し、その外側にねじ部を有する垂直方向への起立部材２６３と、補助仕切りパネル２５１，２５３の上端部分に備えられ、垂直方向への起立部材２６３を上下動させる一対のかさ歯車２６４とで成る。
【００６９】
補助仕切りパネル２５１は、底パネル１３０、側壁パネル１４１、１４２，及び仕切りパネル１５１、１５２，１５３，１５４と同じく、コンクリートで作るか、あるいは耐腐食処理した金属で作る。第１水門２６２は耐腐食処理した金属版で作り補助仕切りパネル２５１，２５２、２５３、又は２５４から突出をできるだけ小さくするように構成する。
【００７０】
第１水門２６２を上昇下降させるために、第１かさ歯車２６４に取付けられたハンドルを前方又は後方へ回転させる。第１水門２６２が上下動する時、通水孔１６１，１６３の開口度を調節する。さらに、第１水門２６２を、前方回転および逆回転できる減速モータ（図示せず）に接続させることもできる。減速モータをかさ歯車２６４のシャフトに接続させると、水門の上昇を容易に調節できる。
【００７１】
その下端部近くに通水孔１６２，１６４を有する補助仕切りパネル２５２，２５４は、規定の深さの水路溝２５５、２５６をそれぞれ有し、これらの溝は、上端から規定の深さまで伸長する。補助仕切りパネル２５２，２５４は、水路溝２５５，２５６の深さを調節する水位調節機構を有する。従って、それぞれ水位調節機構を有する補助仕切りパネル２５２，２５４と、それぞれ通水孔１６２，１６４とそれぞれ水路溝２５５，２５６の両方を有する補助仕切りパネル２５２，２５４は、水位調節機構と魚道サイズ調節機構との両方を有する。
【００７２】
魚道ブロック１００はさらに、仕切りパネル２５２、２５４の上端部分に形成された水路溝２５５、２５６のまわりに配置される第２ガイド２７１とその第２ガイド２７１に沿って縦方向へ移動するように取り付けられ、通水孔１６２，１６４を完全に閉鎖するように又は、部分的に又は完全に開くように取付けられた第２水門２７２と、水路溝２５５，２５６の底部の高さを調節する第３水門２７３と、第２及び第３水門２７２，２７３からそれぞれ上方へ伸長し、その外面にねじ部を有する第３の縦方向へ起立する部材２７４，２７５と、補助仕切りパネル２５２、２５４がそれぞれ水位調節機構とそれぞれ魚道サイズ調節機構とを有する場合、第２及び第３の縦方向へ起立する部材２７４，２７５を上下動させるため、仕切りパネル２５２，２５４の上端に取付けられた第２かさ歯車２７６及び第３かさ歯車２７７を含む一対のかさ歯車とを有する。
【００７３】
魚道ブロック１００は、最前位の仕切りパネル１５１の前に又は隣接する仕切りパネル１５１と１５２との間、１５２と１５３との間、又は１５３と１５４との間の隔室に配置された水の流速低減部材３００を有する。この流速低減部材３００は、はじめに仕切りパネル１５１，１５２，１５３，１５４へ流入する水の流れを遅速化する。その部材３００は段階の形に構成するのが好ましく、水の流れる方向に逆らって配置される。
【００７４】
本発明の更なる実施例によれば、図１６に示すように、クロスバーの上流側の水は、最前位置の仕切りパネル１５１の前にある流速低減部材にぶつかって大きく遅速化し、それから仕切りパネル１５１の通水孔１６１が水没する。この通水孔１６１が水没した後、水は専ら通水孔１６１のみを通って仕切りパネル１５１，１５２との間の隔室へ流入する。仕切りパネル１５２へ向かって流れる水は流速低減部材３０１にぶつかって一瞬、逆流し、それから仕切りパネル１５１と１５２との間の隔室にたまる。その結果、流速は急激に減退し、水は仕切りパネル１５２の通水孔１６２を通って流れる。
【００７５】
この場合、通水孔１６３は通水孔１６２より高い位置にあるので、水が通水孔１６２を通って仕切りパネル１５３へ向かって流れ、仕切りパネル１５２と１５３との間の隔室にたまる時、通水孔１６２はしばらくすると水没し、水流は減退する。即ち、仕切りパネル１５１と１５２との間の隔室の水位と仕切りパネル１５２と１５３との間の隔室の水位との差に対応した水圧によって、通水孔１６２を通る水の流れは減速する。この場合、仕切りパネル１５１の通水孔１６１を通って仕切りパネル１５１と１５２との間の隔室へ流入する水量は、仕切りパネル１５２の通水孔１６２を通って、その隔室から流入する水の量より多いので、それらの水量の差が仕切りパネル１５１と１５２との間の隔室の水位を上昇させる。
【００７６】
この場合、仕切りパネル１５１と１５２との間の隔室と、仕切りパネル１５２と１５３との間の隔室とへ流入する水量が少なすぎると、通水孔１６２と１６３は水中に没することができず、魚道は形成されない。この場合、隣接する仕切りパネル２５１，１５２，２５３，２５４間のそれぞれの隔室に多くの水がたまって、通水孔１６１，１６２１６３，１６４が完全に水没するように、補助仕切りパネル２５１，２５２，２５３，２５４に備えられた魚道サイズ調節機構と水位調節機構の調節が行われる。通水孔１６１，１６２，１６３，１６４を通る水の量はできるだけ少量とする。
【００７７】
ここで魚道サイズ調節機構の操作について以下説明する。はじめに、通水孔１６１，１６２，１６３、１６４の上方部分に取付けられた第１及び第２かさ歯車２６４，２７６が回転すると第１及び第２水門２６２，２７２の第１及び第２の縦方向への起立部材２６３，２７４が上下動し、それによって通水孔１６１，１６２，１６３，１６４のサイズを調整する。前述のように、魚道ブロックへ流入する水の量は少ないので、仕切りパネル２５１，２５２，２５３，２５４の通水孔１６１，１６２，１６３，１６４のサイズが相対的に小さくなるように、第１及び第２水門２６２，２７２が通水孔１６１，１６２，１６３，１６４を段階的に閉じる。
【００７８】
即ち、通水孔１６１，１６２，１６３，１６４が一部閉鎖され、下流へ流れる水量が少くなり、水は隣接する仕切りパネル１５１と１５２との間、１５２と１５３との間、及び１５３と１５４との間の隔室にたまる。その結果、通水孔１６１，１６３１６４は完全に水没する。この場合、たとえ水が仕切りパネル１５２と１５３との間にたまっても、仕切りパネル１５１の通水孔１６１が水中に完全に没しない可能性がある。従って、仕切りパネル１５１の通水孔１６１が完全に水中に埋没するように、水位調節機構を使って仕切りパネル２５２、２５４の水路溝２５５，２５６の底部の高さを調節する。
【００７９】
水位調節機構の操作は、魚道サイズ調節機構の操作に似ているが、次の点が異なる。即ち、水路溝２５５，２５６の底部の高さの調節は、第１及び第２の水門を移動させる代わりに第３水門２７３を移動させることにより行う点である。
【００８０】
前述のように、仕切りパネル２５１，２５２，２５３，２５４の通水孔１６１，１６２，１６３，１６４のサイズと水路溝２５５，２５６のサイズとを調節することによって、仕切りパネル２５１，２５３の通水孔１６１，１６３を水中に埋没させることができ、それによって、仕切りパネル２５１，２５２，２５３，２５４の通水孔１６１，１６２，１６３，１６４の全てを水中に埋没させることができる。
【００８１】
従って、仕切りパネル２５２の通水孔１６２を通って仕切りパネル２５１と２５２との間の隔室から流入する水の量は、仕切りパネル２５１の通水孔１６１を通って仕切りパネル２５１と２５２との間の隔室へ流入する水の量より少ないので仕切りパネル２５３と２５４との間の隔室にたまる水の量と同量の水が、仕切りパネル１５２と１５３との間の隔室にたまる。さらに、仕切りパネル２５１の通水孔１６１を通って流れる水の量は仕切りパネル２５２の通水孔１６２を通って流れる水の量より多いので、その水量の差が仕切りパネル１５１と１５２との間の隔室の水位を上げる。それによって、その隔室にたまった水は、仕切りパネル２５２の上端部分に形成された水路溝２５５を通って仕切りパネル１５２から最終的にあふれ、仕切りパネル１５２と１５３との間の隔室へ流入する
魚道ブロックの前述の操作原理により、水は隣接する仕切りパネル１５１と１５２の間、１５２と１５３の間、１５３と１５４との間に形成された隔室に集まり、そこにたまるので仕切りパネル２５１，２５２，２５３，２５４の通水孔１６１，１６２，１６３，１６４を通る水の流れは非常にゆっくりとなる。従って、泳ぐ力の弱い魚でさえ、魚道ブロック、特に、通水孔１６１，１６２，１６３，１６４を通って上流及び下流へ移動することができる。
【００８２】
図１７は本発明の一実施例の魚道ブロックを示す。図１７を参照すれば、冬季や厳寒地において生じる魚道の凍結による破裂を防ぐために、流速低減部材３０１，３０２，３０３，３０４と仕切りパネル２５１，２５２，２５３，２５４と側壁パネル１４１，１４２をシートヒーターで部分的に又は完全にカバーする。そのヒーターは好ましくは炭素繊維ヒーターであって、それは微小炭素繊維と原形質パルプと高純度化合物のセラミック末とを混合し、その混合物を方向性分散技術を使って厚さ１ｍｍ以下の特殊なシートに処理し、そのシートに一対の電極を形成して絶縁材で被服することによって製造したものである。
【００８３】
このヒーターにより、冬季や厳寒地において寒冷気候が持続する時にも、魚道ブロックの中の水が凍結することがないので、魚道ブロックは凍結するほどの気候であっても破裂することはない。
【００８４】
前述のように、仕切りパネルの通水孔のサイズや、仕切りパネルの上端部に形成された水路溝の底部の高さは水が適切にゆっくり流れるように調節される。さらに、仕切りパネルの間の距離もまた、水が適度にゆっくり流れるように調節される。さらにまた、仕切りパネル間に配置された流速低減部材の高さも、水流を低減させるように調節される。
【００８５】
前述の説明では、魚道はクロスバーの下流側の傾斜面に設置される。しかしながら、魚道が平面底で流れの速い谷間や小川の側部に設置された場合でも、上述の場合と同じ操作を行って同じ効果が得られる。
【００８６】
本発明の好ましい実施例についてこれまで例示のために説明してきたけれども、この技術に熟達した人にとって添付の特許請求の範囲に記載するような本発明の範囲と本旨から逸脱することなく種々の変形や付加および代替ができることは明らかである。
【産業上の利用可能性】
【００８７】
本発明の魚道ブロックにおいて、その魚道コースを長くすることができ、水流を低速にすることもできる。従って、この魚道ブロックを、水流が早くて、急勾配の底をもつ河川や水路のダムやクロスバーのような横断構造物に設置する時、魚道ブロックは魚が上流や下流へ容易に移動できることを可能にする。
【図面の簡単な説明】
【００８８】
【図１】本発明の一実施例による魚道ブロックの斜視図である。
【図２】図１に示す魚道ブロックの斜視図であって、魚道の通路を延ばすために、２個の魚道ブロックを連結したものである。
【図３】図２の魚道ブロックの斜視図であって、その魚道ブロックから側壁パネルを取り払って示したものである。
【図４】通水孔の中心を通る線に沿ってとった魚道ブロックの横断面図である。
【図５】魚道ブロックをクロスバーに設置した状態の斜視図である。
【図６】魚道をクレーンで持ち上げた状態を示す図である。
【図７】本発明の他の実施例の魚道ブロックを示す図である。
【図８】本発明の他の実施例の魚道ブロックを示す図である。
【図９】本発明の他の実施例の魚道ブロックを示す図である。
【図１０】本発明の更なる他の実施例の魚道ブロックの一部を示す図である。
【図１１】本発明の更なる他の実施例の魚道ブロックの一部を示す図である。
【図１２】図１１のA-A線でとった魚道ブロックを示す横断面図である。
【図１３】図１０の魚道ブロックから側壁パネルと、魚道サイズ調節機構を取り払った状態の斜視図である。
【図１４】図１３の魚道ブロックの展開図であって、特に、魚道サイズ調節機構を示す。
【図１５】図９に示す魚道の展開図であって、特に、魚道サイズ調節機構と水位調節機構とを示す。
【図１６】図１０に示す魚道ブロックを設置した状態で示す図である。
【図１７】本発明の更に他の実施例の魚道ブロックを示す図である。
【図１】
2008525677.tif 000003
【図２】
2008525677.tif 000004
【図３】
2008525677.tif 000005
【図４】
2008525677.tif 000006
【図５】
2008525677.tif 000007
【図６】
2008525677.tif 000008
【図７】
2008525677.tif 000009
【図８】
2008525677.tif 000010
【図９】
2008525677.tif 000011
【図１０】
2008525677.tif 000012
【図１１】
2008525677.tif 000013
【図１２】
2008525677.tif 000014
【図１３】
2008525677.tif 000015
【図１４】
2008525677.tif 000016
【図１５】
2008525677.tif 000017
【図１６】
2008525677.tif 000018
【図１７】
2008525677.tif 000019
【国際調査報告】
2008525677.tif 000020
2008525677.tif 000021